(57)【要約】【課題】封筒から情報媒体を剥がしたときに、封筒に書かれた情報を読むことができる情報媒体付きシートを提供すること。【解決手段】郵便物Ｙの追跡管理に用いられるタグカセット付きシート１０において、郵便物Ｙに貼付される透明なシート本体１１と、上記シート本体１１に剥離可能に貼付され、記憶したＩＤを電波により発信可能なタグカセット１２とを具備する。【選択図】      図２
2005258906.tif 000002
【特許請求の範囲】
【請求項１】
配送物の追跡管理に用いられる情報媒体付きシートにおいて、
配送物に貼付される透明なシート本体と、
上記シート本体に剥離可能に貼付され、記憶した情報を電波により発信可能な情報媒体と、
を具備することを特徴とする情報媒体付きシート。
【請求項２】
上記シート本体と上記情報媒体は、上記シート本体から上記情報媒体を剥離したときに上記シート本体を介して上記配送物が透けて見えるように接着されていることを特徴とする請求項１記載の情報媒体付きシート。
【発明の詳細な説明】
【技術分野】
【０００１】
本発明は、郵便物等に貼付されて、その追跡管理に用いられる情報媒体付きシートに関する。
【背景技術】
【０００２】
近年、固有のＩＤ（ＲＦＩＤ）が設定されるとともに情報の書換可能なメモリエリアを有し、無線を利用して非接触でＩＤの読み出しや任意の情報の書き込み及び読み出しができるデータキャリア、いわゆる無線タグが注目されている。
【０００３】
例えば従来、書留郵便や小包郵便等の記録扱い郵便物に使用される封筒にそれぞれ無線タグを貼付し、この無線タグに当該タグが貼付された封筒に対して設定された追跡管理用コードを書き込んで記憶させるとともに、郵便物の引き受けから配達までの各拠点に無線タグ読取装置をそれぞれ配置し、各拠点において、それぞれ封筒に貼付さえた無線タグから追跡管理用コードを読取り、情報センターに通知することによって、記録扱い郵便物の一元的な管理と迅速な追跡とを可能とするシステムが提案されている。
【０００４】
このシステムでは、無線タグが高価であることや、産業廃棄物となることから、配達完了時に封筒から剥がして持ち帰り、リサイクルすることを想定している。そのため、無線タグを封筒に対して剥離可能に貼り付ける必要がある。無線タグの貼り付け方としては、封筒にラベルを貼り付け、このラベルの上に無線タグを剥離材を介して貼り付ける方法が開示されている（例えば、特許文献１参照。）。
【特許文献１】特開２００２−２１１１７０号公報
【発明の開示】
【発明が解決しようとする課題】
【０００５】
しかしながら、従来の無線タグの貼り付け方では、封筒の一部がラベル等のシートにより覆われ、封筒に書かれた差出人などの情報が読めなくなることがあった。郵便物の配達が完了したときに、郵便配達人が封筒からシートを剥がすようにしてもよいが、封筒とシートはしっかり接着されているため、下手に剥がすと、封筒を破いてしまうことも考えられる。
【０００６】
本発明は、上記事情を鑑みてなされたものであって、その目的とするところは、配送物から情報媒体を剥がしたときに、配送物に書かれた情報をシートを剥がすことなく読むことができる情報媒体付きシートを提供することにある。
【課題を解決するための手段】
【０００７】
上記課題を解決し目的を達成するために、本発明の情報媒体付きシートは、配送物に貼付される透明なシート本体に、記憶した情報を電波により発信可能な情報媒体を剥離可能に貼付したものである。
【発明の効果】
【０００８】
本発明によれば、配送物に書かれた情報がシートにより読めなくなるのを防止することをできる。
【発明を実施するための最良の形態】
【０００９】
以下、図面を参照しながら本発明を実施するための最良の形態を説明する。
【００１０】
図１は本発明の一実施の形態に係る郵便物Ｙに貼付されたタグカセット付きシート１０を示す斜視図、図２は同実施の形態に係るタグカセット付きシート１０を分解して示す斜視図、図３は同実施の形態に係る郵便物Ｙに貼付されたタグカセット付きシート１０の側面図である。
【００１１】
図１〜図３に示すように、このタグカセット付きシート１０（情報媒体付きシート）は、郵便物Ｙ（配送物）に貼付されるシート本体１１と、シート本体１１に貼付されるタグカセット１２（情報媒体）とから構成されている。
【００１２】
上記シート本体１１は、平面視で略矩形状に形成されており、素材として透明な材料が使用されている。郵便物Ｙとシート本体１１は、透明な第１の接着剤１３により第１の接着力Ｐ１で接着されている。これにより、シート本体１１が郵便物Ｙに貼付された状態であっても、シート本体１１の上から郵便物Ｙの表面が透けて見えるようになっている。
【００１３】
上記タグカセット１２はタグホルダー１４を有している。このタグホルダー１４は、平面視でシート本体１１と略同じ形状に形成されており、その内部には無線タグ１５が内蔵されている。この無線タグ１５は、電波により情報の読み出しや書き込みができる、いわゆるデータキャリアであり、そのメモリ部には予め固有のＩＤ（情報）が記憶されている。
【００１４】
シート本体１１とタグカセット１２は、透明な第２の接着剤１６により第２の接着力Ｐ２で剥離可能に接着されている。なお、本実施の形態では第２の接着剤１６として、いわゆる感圧性接着剤が用いている。これにより、シート本体１１からタグカセット１２を剥離したときに、シート本体１１とタグカセット１２の接着面に第２の接着剤１６による粘着性が残留しないようになっている。また、シート１１からタグカセット１２を剥離すると、シート１１上には第２の接着剤１６が僅かに残留することになるが、この残留した第２の接着剤１６は透明であるため、第２の接着剤１６の上から郵便物Ｙが透けて見えるようになっている。
【００１５】
タグホルダー１４の表面には、平面視でタグホルダー１４よりもやや小さなリライトカード１７が貼付されている。このリライトカード１７は、いわゆるポイントカード等に使用される、書き換えが可能な磁気記憶媒体であり、予め無線タグ１５に記憶されたものと同じＩＤが記憶されている。
【００１６】
図４は同実施の形態に係る台紙Ｄに貼付されたタグカセット付きシート１０を示す斜視図、図５は同実施の形態に係る台紙Ｄに貼付されたタグカセット付きシート１０を示す側面図である。
【００１７】
図４と図５に示すように、上記構成のタグカセット付きシート１０は、台紙Ｄに貼付された状態で郵便局窓口などに保管される。この台紙Ｄはロール状に巻かれており、シート本体１１が貼付される表面には樹脂コーティングがなされている。
【００１８】
台紙Ｄとシート本体１１は、第１の接着剤１３により第３の接着力Ｐ３で接着している。すなわち、台紙Ｄとシート本体１１は、郵便物Ｙとシート本体１１の接着に用いた第１の接着剤１３により接着している。しかしながら、台紙Ｄの表面には樹脂コーティングを施されているため、第１の接着力Ｐ１と第３の接着力Ｐ３の関係は、第３の接着力Ｐ３＜第１の接着力Ｐ１となる。
【００１９】
郵便物Ｙ、シート本体１１、タグカセット１２、台紙Ｄの接着力の関係をまとめると、第１の接着力Ｐ１、第２の接着力Ｐ２、第３の接着力Ｐ３には、第３の接着力Ｐ３＜第２の接着力Ｐ２＜第１の接着力Ｐ１の関係がある。
【００２０】
次に、上記構成のタグカセット付きシート１０を使用する際の作用について説明する。
【００２１】
郵便局の窓口で郵便物Ｙを受け付けたら、タグカセット付きシート１０を台紙Ｄから剥がし、郵便物Ｙに貼り付ける。そして、タグカセット１２にリーダライターを近づけて無線タグ１５に記憶されているＩＤを読取り、読取ったＩＤを郵便物Ｙの郵便情報と対応させてメインコンピュータに記録する。なお、郵便情報には、伝票番号、届け先、依頼主、および品名などがある。
【００２２】
郵便局窓口で受け付けた郵便物Ｙは、決められた時間になったら、まとめて配送センターに配送される。配送センターでは、到着した郵便物Ｙのタグカセット１２にリーダライターを近づけて無線タグ１５のＩＤを読取り、郵便物Ｙの到着を確認するとともに、読取ったＩＤに基づいて郵便物Ｙを地域配送センターごとに仕分けする。そして、地域センターへの出荷をメインコンピュータに記録し、郵便物Ｙを配送する。
【００２３】
各地域センターでは、到着した郵便物Ｙのタグカセット１２にリーダライターを近づけて無線タグ１５のＩＤを読取り、郵便物Ｙの到着を確認するとともに、読取ったＩＤに基づいて郵便物Ｙを配送先ごとに仕分けする。そして、各配送先への出荷をメインコンピュータに記録し、郵便物Ｙを配送する。
【００２４】
各配送先では、配達した郵便物Ｙのタグカセット１２にリーダライターを近づけて無線タグ１５のＩＤを読取り、郵便物Ｙの配達完了を確認するとともに、タグカセット１２をシート本体１１から剥がす。このとき、郵便物Ｙとシート本体１１の接着力が、シート本体１１とタグカセット１２の接着力よりも強いため、タグカセット１２を掴んで郵便物Ｙから引き離せば、簡単に剥がすことができる。
【００２５】
シート本体１１から剥がされたタグカセット１２は、郵便配達人によって集められ、新しいタグカセット付きシート１０にリサイクルされる。
【００２６】
上記構成のタグカセット付きシート１０によれば、郵便物Ｙに貼付されるシート本体１１の素材として透明な材料を用い、郵便物Ｙとシート本体１１を接着する第１の接着剤１３の素材として透明な材料を用い、さらにシート本体１１とタグカセット１２を接着する第２の接着剤１６の素材として透明な材料を用いている。
【００２７】
そのため、郵便物Ｙに書かれた差出人名などの情報が読めなくなるのを防止することができる。逆に言えば、図６に示すように、郵便物Ｙにシート本体１１を貼り付けたまま差出人名などの情報を読むことができる。その結果、郵便物Ｙの受付け時に、タグカセット付きシート１０を貼付する場所を選定する作業が不要となるから、受付け時の作業効率を向上させることができる。
【００２８】
図７は同実施の形態の変形例に係るタグカセット付きシート１０を分解して示す斜視図である。
【００２９】
図７に示すように、本実施の形態の変形例に係るタグカセット付きシート１０では、シート本体１１とタグカセット１２とを接着する第２の接着剤１６をシート本体１１の長手方向両端部にのみ設けている。このようにすれば、第２の接着剤１６として非透明な材料を用いても、シート本体１１側の殆んどの部分を透明に保つことができるから、郵便物Ｙに書かれた差出人などの情報をシート本体１１の上から見ることができる。
【００３０】
また、シート本体１１と第２の接着剤１６の間に剥離剤を塗布しておけば、シート本体１１からタグカセット１２を剥がしたときに、第２の接着剤１６を全てタグカセット１２側に付着させることができる。このようにしても、シート本体１１からタグカセット１２を剥がしたときに、シート本体１１側を透明に保つことができるから、郵便物Ｙに書かれた差出人などの情報をシート本体１１の上から見ることができる。
【００３１】
なお、本発明は、上記実施形態そのままに限定されるものではなく、実施段階ではその要旨を逸脱しない範囲で構成要素を変形して具体化できる。例えば、配送物は郵便物に限定されるものではなく、宅配業者によって配送される荷物であってもよい。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００３２】
【図１】本発明の一実施の形態に係る郵便物に貼付されたタグカセット付きシートを示す斜視図。
【図２】同実施の形態に係るタグカセット付きシートを分解して示す斜視図。
【図３】同実施の形態に係る郵便物Ｙに貼付されたタグカセット付きシートの側面図。
【図４】同実施の形態に係る台紙に貼付されたタグカセット付きシートを示す斜視図。
【図５】同実施の形態に係る台紙に貼付されたタグカセット付きシートを示す側面図。
【図６】同実施の形態に係る郵便物に貼付されたタグカセット付きシートからタグカセットを剥がした状態を示す斜視図。
【図７】同実施の形態の変形例に係るタグカセット付きシートを分解して示す斜視図。
【符号の説明】
【００３３】
１０…タグカセット付きシート（情報媒体付きシート）、１１…シート本体、１２…タグカセット（情報媒体）、Ｙ郵便物（配送物）。
【図１】
2005258906.tif 000003
【図２】
2005258906.tif 000004
【図３】
2005258906.tif 000005
【図４】
2005258906.tif 000006
【図５】
2005258906.tif 000007
【図６】
2005258906.tif 000008
【図７】
2005258906.tif 000009